(57)【特許請求の範囲】
【請求項１】
受光面とその裏面を有する光電変換部と、前記光電変換部の裏面側に設けられ、かつ、電解液に浸漬可能に設けられた第１電解用電極と、前記光電変換部の裏面側に設けられ、かつ、電解液に浸漬可能に設けられた第２電解用電極と、切換部とを備え、
第１電解用電極および第２電解用電極は、前記光電変換部が受光することより生じる起電力により電解液を電気分解しそれぞれ第１気体および第２気体を発生させることができるように設けられ、
前記光電変換部の裏面上に設けられた絶縁部をさらに備え、
第１電解用電極および第２電解用電極は、前記絶縁部上に設けられ、かつ、それぞれ前記切換部と電気的に接続し、
前記切換部は、前記光電変換部が受光することにより生じる起電力を第１外部回路へ出力させる回路と、前記光電変換部が受光することにより生じる起電力を第１電解用電極および第２電解用電極に出力させる回路とを切り換えることを特徴とする太陽電池一体型気体製造装置。
【請求項２】
受光面とその裏面を有する光電変換部と、前記光電変換部の裏面側に設けられ、かつ、電解液に浸漬可能に設けられた第１電解用電極と、前記光電変換部の裏面側に設けられ、かつ、電解液に浸漬可能に設けられた第２電解用電極と、切換部とを備え、
第１電解用電極および第２電解用電極は、前記光電変換部が受光することより生じる起電力により電解液を電気分解しそれぞれ第１気体および第２気体を発生させることができるように設けられ、
前記光電変換部の裏面上に設けられた絶縁部をさらに備え、
第２電解用電極は、前記絶縁部上に設けられ、かつ、前記切換部と電気的に接続し、
第１電解用電極は、前記光電変換部の裏面上に設けられ、かつ、前記光電変換部の裏面と電気的に接続し、
前記切換部は、前記光電変換部が受光することにより生じる起電力を第１外部回路へ出力させる回路と、前記光電変換部が受光することにより生じる起電力を第１電解用電極および第２電解用電極に出力させる回路とを切り換えることを特徴とする太陽電池一体型気体製造装置。
【請求項３】
受光面とその裏面を有する光電変換部と、前記光電変換部の裏面側に設けられ、かつ、電解液に浸漬可能に設けられた第１電解用電極と、前記光電変換部の裏面側に設けられ、かつ、電解液に浸漬可能に設けられた第２電解用電極と、切換部とを備え、
第１電解用電極および第２電解用電極は、前記光電変換部が受光することより生じる起電力により電解液を電気分解しそれぞれ第１気体および第２気体を発生させることができるように設けられ、
前記光電変換部の受光面上に設けられた第１電極と、前記光電変換部の裏面上に設けられた絶縁部とをさらに備え、
第２電解用電極は、前記絶縁部上に設けられ、かつ、第１電極と電気的に接続し、
第１電解用電極は、前記絶縁部上に設けられ、かつ、前記切換部と電気的に接続し、
前記切換部は、前記光電変換部が受光することにより生じる起電力を第１外部回路へ出力させる回路と、前記光電変換部が受光することにより生じる起電力を第１電解用電極および第２電解用電極に出力させる回路とを切り換えることを特徴とする太陽電池一体型気体製造装置。
【請求項４】
受光面とその裏面を有する光電変換部と、前記光電変換部の裏面側に設けられ、かつ、電解液に浸漬可能に設けられた第１電解用電極と、前記光電変換部の裏面側に設けられ、かつ、電解液に浸漬可能に設けられた第２電解用電極と、切換部とを備え、
第１電解用電極および第２電解用電極は、前記光電変換部が受光することより生じる起電力により電解液を電気分解しそれぞれ第１気体および第２気体を発生させることができるように設けられ、
前記光電変換部の受光面上に設けられた第１電極と、前記光電変換部の裏面上に設けられた絶縁部とをさらに備え、
第２電解用電極は、前記絶縁部上に設けられ、かつ、第１電極と電気的に接続し、
第１電解用電極は、前記光電変換部の裏面上に設けられ、かつ、前記光電変換部の裏面と電気的に接続し、
前記切換部は、前記光電変換部が受光することにより生じる起電力を第１外部回路へ出力させる回路と、前記光電変換部が受光することにより生じる起電力を第１電解用電極および第２電解用電極に出力させる回路とを切り換えることを特徴とする太陽電池一体型気体製造装置。
【請求項５】
第２電解用電極と第１電極とを電気的に接続する第１導電部をさらに備える請求項３または４に記載の装置。
【請求項６】
前記絶縁部は、前記光電変換部の側面を覆うように設けられ、
第１導電部は、前記絶縁部の前記光電変換部の側面を覆う部分の上に設けられた請求項５に記載の装置。
【請求項７】
前記絶縁部は、前記光電変換部の側面を覆うように設けられ、
第２電解用電極は、前記絶縁部の前記光電変換部の側面を覆う部分の上に設けられ、かつ、第１電極と接触する請求項３または４に記載の装置。
【請求項８】
前記光電変換部の受光面上に設けられた第１電極と、前記光電変換部の裏面上に設けられた第２電極をさらに備え、
第１電極および第２電極は、それぞれ前記切換部と電気的に接続する請求項１〜７のいずれか１つに記載の装置。
【請求項９】
受光面とその裏面を有する光電変換部と、前記光電変換部の裏面側に設けられ、かつ、電解液に浸漬可能に設けられた第１電解用電極と、前記光電変換部の裏面側に設けられ、かつ、電解液に浸漬可能に設けられた第２電解用電極と、切換部とを備え、
第１電解用電極および第２電解用電極は、前記光電変換部が受光することより生じる起電力により電解液を電気分解しそれぞれ第１気体および第２気体を発生させることができるように設けられ、
前記光電変換部は、受光することにより前記裏面の第１および第２区域間に電位差が生じ、
第１区域は、第１電解用電極と電気的に接続し、
第２区域は、第２電解用電極と電気的に接続し、
前記光電変換部は、ｎ型半導体部およびｐ型半導体部を有する少なくとも１つの半導体材料からなり、第１および第２区域のうち、一方は前記ｎ型半導体部の一部であり、他方は前記ｐ型半導体部の一部であり、
前記切換部は、前記光電変換部が受光することにより生じる起電力を第１外部回路へ出力させる回路と、前記光電変換部が受光することにより生じる起電力を第１電解用電極および第２電解用電極に出力させる回路とを切り換えることを特徴とする太陽電池一体型気体製造装置。
【請求項１０】
第１気体および第２気体のうち一方は、水素であり、他方は、酸素である請求項１〜９のいずれか１つに記載の装置。
【請求項１１】
第１電解用電極および第２電解用電極のうち、一方は、電解液からＨ2を発生させる水素発生部であり、他方は、電解液からＯ2を発生させる酸素発生部であり、
前記水素発生部および前記酸素発生部は、それぞれ電解液からＨ2が発生する反応の触媒および電解液からＯ2が発生する反応の触媒を含む請求項１〜１０のいずれか１つに記載の装置。
【請求項１２】
前記切換部は、第２外部回路と電気的に接続することができ、かつ、第２外部回路から入力される起電力を第１電解用電極および第２電解用電極に出力し電解液からそれぞれ第１気体および第２気体を発生させる回路に切り換えることができる請求項１〜１１のいずれか１つに記載の装置。
【請求項１３】
前記切換部は、前記装置に照射される日射量の予測、降水確率、日時、気温および電力需要予測のうち少なくとも１つに基づき前記切換部が切り換える回路を選択する請求項１２に記載の装置。
【発明の詳細な説明】
【技術分野】
【０００１】
本発明は、太陽電池一体型気体製造装置に関する。
【背景技術】
【０００２】
近年、地球温暖化の懸念から発電に伴いＣＯ2が発生しない太陽電池が普及しつつある。しかし、太陽電池を用いた発電は、時間帯により発電量が変動し、また、季節によっても発電量が変動するという課題がある。この課題を解決するために、太陽電池により発電した電力を水の電気分解により生じる水素として貯蔵し、この水素を燃料とする燃料電池の発電により発電量の変動を解消する発電システムが考えられている。このため、太陽電池と電解槽を組み合わせた様々な技術が提案されている。
例えば、特許文献１では、基板上に形成した透明電極膜の上に薄膜太陽電池と電解触媒層を並列に形成し、薄膜太陽電池に光を照射することにより、電解液を電気分解することを可能とする水素製造装置が開示されている。
また、特許文献２では、最適化された太陽電池の起電力を電解槽に出力し、水素および酸素を発生させる電解システムが開示されている。
【先行技術文献】
【特許文献】
【０００３】
【特許文献１】特開２００３−２８８９５５号公報
【特許文献２】特表２００７−５２４７６２号公報
【発明の概要】
【発明が解決しようとする課題】
【０００４】
しかし、従来技術では、太陽電池の起電力を利用して水素を発生させるものであり、同じ太陽電池を利用して電力を外部回路に供給することはできない。
本発明は、このような事情に鑑みてなされたものであり、太陽電池の起電力を利用して第１気体および第２気体を発生させることができ、かつ、同じ太陽電池を利用して電力を外部回路に供給できる太陽電池一体型気体製造装置を提供する。
【課題を解決するための手段】
【０００５】
本発明は、受光面とその裏面を有する光電変換部と、前記光電変換部の裏面側に設けられ、かつ、電解液に浸漬可能に設けられた第１電解用電極と、前記光電変換部の裏面側に設けられ、かつ、電解液に浸漬可能に設けられた第２電解用電極と、切換部とを備え、第１電解用電極および第２電解用電極は、前記光電変換部が受光することより生じる起電力により電解液を電気分解しそれぞれ第１気体及び第２気体を発生させることができるように設けられ、前記切換部は、前記光電変換部が受光することにより生じる起電力を第１外部回路へ出力させる回路と、前記光電変換部が受光することにより生じる起電力を第１電解用電極および第２電解用電極に出力させる回路とを切り換えることを特徴とする太陽電池一体型気体製造装置を提供する。
【発明の効果】
【０００６】
本発明によれば、光電変換部が受光することにより生じる起電力を第１電解用電極と第２電解用電極に出力することができるため、電解液に浸漬することができる第１電解用電極と第２電解用電極において、電解液から第１気体および第２気体を製造することができる。
本発明によれば、光電変換部が受光することにより生じる起電力を切換部を介して第１外部回路に出力することができ、第１外部回路に電力を供給することができる。
【０００７】
本発明によれば、切換部により、光電変換部が受光することにより生じる起電力を第１外部回路へ出力させる回路と、光電変換部が受光することにより生じる起電力を第１電解用電極および第２電解用電極に出力させる回路とを切り換えることができるため、光電変換部に照射される日射量や本発明の装置を設置した施設などの電力需要などに応じて、電力供給と第１気体および第２気体の製造を切り換えることができる。このことにより、光電変換部が受光することにより生じる起電力をより効率的に利用することができる。
【０００８】
本発明によれば、光電変換部の裏面側に第１電解用電極と第２電解用電極を設けるため、光電変換部の受光面に電解液を介さず光を入射させることができ、電解液による入射光の吸収や入射光の散乱を防止することができる。このことにより、光電変換部への入射光の量を多くすることができ、光利用効率を高くすることができる。
本発明によれば、光電変換部の裏面側に第１電解用電極および第２電解用電極を設けるため、受光面に入射する光が、第１電解用電極および第２電解用電極、ならびにそこからそれぞれ発生する第１気体及び第２気体により吸収や散乱されることはない。このことにより、光電変換部への入射光の量を多くすることができ、光利用効率を高くすることができる。
【０００９】
本発明によれば、光電変換部の裏面側に第１電解用電極と第２電解用電極を設けるため、第１気体および第２気体の製造を光電変換部の裏面側において行うことができる。このため、光電変換部と電解用電極との間の配線抵抗を低くすることができ、効率よく第１気体および第２気体を製造することができる。
本発明によれば、太陽電池と気体製造装置が一体化しているため、よりコンパクトな装置とすることができ、設置面積を少なくすることができる。太陽電池と気体製造装置に共通部分を利用することができ、製造コストを低くすることができる。
【図面の簡単な説明】
【００１０】
【図１】本発明の一実施形態の太陽電池一体型気体製造装置の概略平面図である。
【図２】図１の点線Ａ−Ａにおける太陽電池一体型気体製造装置の概略断面図である。
【図３】本発明の一実施形態の太陽電池一体型気体製造装置の概略裏面図である。
【図４】図１の点線Ｂ−Ｂにおける太陽電池一体型気体製造装置の概略断面図である。
【図５】本発明の一実施形態の太陽電池一体型気体製造装置の概略断面図である。
【図６】本発明の一実施形態の太陽電池一体型気体製造装置の概略断面図である。
【図７】本発明の一実施形態の太陽電池一体型気体製造装置の概略断面図である。
【図８】本発明の一実施形態の太陽電池一体型気体製造装置の概略断面図である。
【図９】本発明の一実施形態の太陽電池一体型気体製造装置の概略断面図である。
【図１０】本発明の一実施形態の太陽電池一体型気体製造装置の概略断面図である。
【図１１】本発明の一実施形態の太陽電池一体型気体製造装置の概略断面図である。
【図１２】本発明の一実施形態の太陽電池一体型気体製造装置の概略断面図である。
【図１３】本発明の一実施形態の太陽電池一体型気体製造装置の概略回路図である。
【図１４】本発明の一実施形態の太陽電池一体型気体製造装置の概略回路図である。
【図１５】本発明の一実施形態の太陽電池一体型気体製造装置の概略回路図である。
【図１６】本発明の一実施形態の太陽電池一体型気体製造装置の概略回路図である。
【図１７】本発明の一実施形態の太陽電池一体型気体製造装置の概略回路図である。
【発明を実施するための形態】
【００１１】
本発明の太陽電池一体型気体製造装置は、受光面とその裏面を有する光電変換部と、前記光電変換部の裏面側に設けられ、かつ、電解液に浸漬可能に設けられた第１電解用電極と、前記光電変換部の裏面側に設けられ、かつ、電解液に浸漬可能に設けられた第２電解用電極と、切換部とを備え、第１電解用電極および第２電解用電極は、前記光電変換部が受光することより生じる起電力により電解液を電気分解しそれぞれ第１気体及び第２気体を発生させることができるように設けられ、前記切換部は、前記光電変換部が受光することにより生じる起電力を第１外部回路へ出力させる回路と、前記光電変換部が受光することにより生じる起電力を第１電解用電極および第２電解用電極に出力させる回路とを切り換えることを特徴とする。
太陽電池一体型気体製造装置とは、太陽電池の機能と気体製造装置の機能を有する装置である。
【００１２】
本発明の太陽電池一体型気体製造装置において、第１気体および第２気体のうち一方は、水素であり、他方は、酸素であることが好ましい。
このような構成によれば、第１電解用電極と第２電解用電極において、電解液から水素および酸素を製造することができる。
本発明の太陽電池一体型気体製造装置において、前記光電変換部の裏面上に設けられた絶縁部をさらに備え、第１電解用電極および第２電解用電極は、前記絶縁部上に設けられ、かつ、それぞれ前記切換部と電気的に接続することが好ましい。
このような構成によれば、光電変換部が受光することにより生じる起電力を切換部を介して第１外部回路に出力することができ、また、光電変換部が受光することにより生じる起電力を第１電解用電極または第２電解用電極に出力することができる。また、第１外部回路または第１、第２電解用電極に起電力を出力する場合、リーク電流が流れることを防止することができる。
【００１３】
本発明の太陽電池一体型気体製造装置において、前記光電変換部の裏面上に設けられた絶縁部をさらに備え、第２電解用電極は、前記絶縁部上に設けられ、かつ、前記切換部と電気的に接続し、第１電解用電極は、前記光電変換部の裏面上に設けられ、かつ、前記光電変換部の裏面と電気的に接続することが好ましい。
このような構成によれば、光電変換部が受光することにより生じる起電力を切換部を介して第１外部回路に出力することができ、また、光電変換部が受光することにより生じる起電力を第１電解用電極または第２電解用電極に出力することができる。また、第１外部回路または第１、第２電解用電極に起電力を出力する場合、リーク電流が流れることを防止することができる。
本発明の太陽電池一体型気体製造装置において、前記光電変換部の受光面上に設けられた第１電極と、前記光電変換部の裏面上に設けられた絶縁部とをさらに備え、第２電解用電極は、前記絶縁部上に設けられ、かつ、第１電極と電気的に接続し、第１電解用電極は、前記絶縁部上に設けられ、かつ、前記切換部と電気的に接続することが好ましい。
このような構成によれば、光電変換部が受光することにより生じる起電力を切換部を介して第１外部回路に出力することができ、また、光電変換部が受光することにより生じる起電力を第１電解用電極または第２電解用電極に出力することができる。また、第１外部回路または第１、第２電解用電極に起電力を出力する場合、リーク電流が流れることを防止することができる。
【００１４】
本発明の太陽電池一体型気体製造装置において、前記光電変換部の受光面上に設けられた第１電極と、前記光電変換部の裏面上に設けられた絶縁部とをさらに備え、第２電解用電極は、前記絶縁部上に設けられ、かつ、第１電極と電気的に接続し、第１電解用電極は、前記光電変換部の裏面上に設けられ、かつ、前記光電変換部の裏面と電気的に接続することが好ましい。
このような構成によれば、光電変換部が受光することにより生じる起電力を第１電解用電極または第２電解用電極に出力することができる。また、光電変換部が受光することにより生じる起電力が、電解液の電解電圧に達しない場合には、光電変換部が受光することにより生じる起電力を切換部を介して第１外部回路に出力することができる。
本発明の太陽電池一体型気体製造装置において、第２電解用電極と第１電極とを電気的に接続する第１導電部をさらに備えることが好ましい。
このような構成によれば、光電変換部が受光することにより生じる起電力を効率よく第２電解用電極に出力することができる。
本発明の太陽電池一体型気体製造装置において、第１導電部は、前記光電変換部を貫通するコンタクトホールに設けられることが好ましい。
このような構成によれば、第２電解用電極と第１電極とを電気的に接続することができ、第２電解用電極と第１電極とをほぼ同じ電位とすることができる。
【００１５】
本発明の太陽電池一体型気体製造装置において、前記絶縁部は、前記光電変換部の側面を覆うように設けられ、第１導電部は、前記絶縁部の前記光電変換部の側面を覆う部分の上に設けられたことが好ましい。
このような構成によれば、光電変換部が受光することにより生じる起電力を効率よく第２電解用電極に出力することができる。
本発明の太陽電池一体型気体製造装置において、前記絶縁部は、前記光電変換部の側面を覆うように設けられ、第２電解用電極は、前記絶縁部の前記光電変換部の側面を覆う部分の上に設けられ、かつ、第１電極と接触することが好ましい。
このような構成によれば、光電変換部が受光することにより生じる起電力を効率よく第２電解用電極に出力することができる。
【００１６】
本発明の太陽電池一体型気体製造装置において、前記光電変換部の受光面上に設けられた第１電極と、前記光電変換部の裏面上に設けられた第２電極とをさらに備え、第１電極および第２電極は、前記切換部と電気的に接続することが好ましい。
このような構成によれば、光電変換部が受光することにより生じる起電力を第１外部回路または第１電解用電極と第２電解用電極とに出力することができる。
本発明の太陽電池一体型気体製造装置において、前記光電変換部は、受光することにより前記裏面の第１および第２区域間に電位差が生じ、第１区域は、第１電解用電極と電気的に接続し、第２区域は、第２電解用電極と電気的に接続することが好ましい。
このような構成によれば、第１および第２区域と第１電解用電極および第２電解用電極とを容易に電気的に接続することができ、製造コストを低減することができる。
本発明の太陽電池一体型気体製造装置において、前記光電変換部は、ｎ型半導体部およびｐ型半導体部を有する少なくとも１つの半導体材料からなり、第１および第２区域のうち、一方は前記ｎ型半導体部の一部であり、他方は前記ｐ型半導体部の一部であることが好ましい。
このような構成によれば、光電変換部の裏面の第１および第２区域間に電位差が生じさせることができる。
【００１７】
本発明の太陽電池一体型気体製造装置において、前記光電変換部の裏面と第１電解用電極との間の一部および前記裏面と第２電解用電極との間の一部に設けられた絶縁部をさらに備え、第１電解用電極および第２電解用電極は、それぞれ前記絶縁部が設けられていない第１および第２区域を介して前記ｎ型半導体部または前記ｐ型半導体部と電気的に接続することが好ましい。
このような構成によれば、光電変換部が受光することにより形成される電子およびホールを効率よく分離することができ、光電変換効率をより高くすることができる。
本発明の太陽電池一体型気体製造装置において、第１区域および第２区域は、それぞれ前記切換部と電気的に接続することが好ましい。
このような構成によれば、光電変換部が受光することにより第１および第２区域間に生じる起電力を第１外部回路へ出力することができる。
本発明の太陽電池一体型気体製造装置において、前記絶縁部と第１電解用電極との間または前記絶縁部と第２電解用電極との間に設けられた第２導電部をさらに備えることが好ましい。
このような構成によれば、第１電解用電極または第２電解用電極で生じる内部抵抗をより小さくすることができる。
本発明の太陽電池一体型気体製造装置において、透光性基板をさらに備え、前記光電変換部は、前記受光面が前記透光性基板側となるように前記透光性基板上に設けられることが好ましい。
このような構成によれば、透光性基板の上に光電変換部を形成することができるため、光電変換部をより形成しやすくなる。
【００１８】
本発明の太陽電池一体型気体製造装置において、前記光電変換部の裏面側に背面基板をさらに備え、第２電解用電極は、前記背面基板上に設けられ、かつ、前記切換部と電気的に接続し、第１電解用電極は、前記光電変換部の裏面上に設けられ、かつ、前記光電変換部の裏面と電気的に接続することが好ましい。
このような構成によれば、第１電解用電極および第２電解用電極を設ける領域を広くすることができ、電解液の電気分解反応が進行する第１電解用電極の表面および第２電解用電極の表面を広くすることができる。
本発明の太陽電池一体型気体製造装置において、第１電解用電極または第２電解用電極を浸漬させる電解液を貯留可能な電解液室をさらに備えることが好ましい。
このような構成によれば、第１電解用電極および第２電解用電極を電解液に浸漬させることができる。
【００１９】
本発明の太陽電池一体型気体製造装置において、背面基板を備え、前記電解液室は、前記光電変換部の裏面と前記背面基板との間に設けられることが好ましい。
このような構成によれば、第１電解用電極または第２電解用電極を浸漬させる電解液を貯留可能な電解液室を容易に設けることができる。
本発明の太陽電池一体型気体製造装置において、第１電解用電極が浸漬する電解液を貯留可能な電解液室と、第２電解用電極が浸漬する電解液を貯留可能な電解液室とを仕切る隔壁をさらに備えることが好ましい。
このような構成によれば、第１電解用電極および第２電解用電極でそれぞれ発生した第１気体および第２気体を分離することができ、第１気体および第２気体をより効率的に回収することができる。
【００２０】
本発明の太陽電池一体型気体製造装置において、前記隔壁は、イオン交換体を含むことが好ましい。
このような構成によれば、第１電解用電極の上部の電解液室に導入された電解液と第２電解用電極の上部の電解液室に導入された電解液との間のイオン濃度の不均衡を解消することができ、安定して第１気体および第２気体を発生させることができる。
本発明の太陽電池一体型気体製造装置において、前記光電変換部は、ｐ型半導体層、ｉ型半導体層およびｎ型半導体層を備える光電変換層を有することが好ましい。
このような構成によれば、光電変換部がｐｉｎ構造を有することができ、効率よく光電変換をすることができる。また、光電変換部で生じる起電力をより大きくすることができ、電解液をより効率的に電気分解することができる。
【００２１】
本発明の太陽電池一体型気体製造装置において、前記光電変換部は、直列接続した複数の光電変換層を含み、前記複数の光電変換層は、受光することにより生じる起電力を第１電解用電極および第２電解用電極に供給することが好ましい。
このような構成によれば、光電変換部が受光することにより生じる電位差をより大きくすることができ、効率よく第１気体および第２気体を発生させることができる。
本発明の太陽電池一体型気体製造装置において、各光電変換層は、第３導電部により直列接続されたことが好ましい。
このような構成によれば、並列に並べられた各光電変換層を直列接続することができる。
本発明の太陽電池一体型気体製造装置において、第３導電部は、前記光電変換層の受光面側に設けられた透光性電極と、前記光電変換層の裏面側に設けられた裏面電極とを含むことが好ましい。
このような構成によれば、並列に並べられた各光電変換層を直列接続することができる。
【００２２】
本発明の太陽電池一体型気体製造装置において、第１電解用電極および第２電解用電極のうち、一方は、電解液からＨ2を発生させる水素発生部であり、他方は、電解液からＯ2を発生させる酸素発生部であり、前記水素発生部および前記酸素発生部は、それぞれ電解液からＨ2が発生する反応の触媒および電解液からＯ2が発生する反応の触媒を含むことが好ましい。
このような構成によれば、本発明の太陽電池一体型気体製造装置により燃料電池の燃料となる水素を製造することができる。また、各触媒を含むことにより、電解液の電気分解反応が進行する速度を速くすることができる。さらに、製造した水素は、燃料電池の燃料とする他、熱源として利用することもできる。
本発明の太陽電池一体型気体製造装置において、前記水素発生部および前記酸素発生部のうち少なくとも一方は、触媒が担持された多孔質の導電体から形成されることが好ましい。
このような構成によれば、水素発生部および酸素発生部のうち少なくとも一方の触媒表面積を大きくすることができ、より効率的に酸素または水素を発生させることができる。また、多孔質の導電体を用いることにより、光電変換部と触媒との間の電流が流れることによる電位の変化を抑制することができ、より効率的に水素または酸素を発生させることができる。
【００２３】
本発明の太陽電池一体型気体製造装置において、前記切換部は、第２外部回路と電気的に接続することができ、かつ、前記第２外部回路から入力される起電力を第１電解用電極および第２電解用電極に出力し電解液からそれぞれ第１気体および第２気体を発生させる回路に切り換えることができることが好ましい。
このような構成によれば、本発明の太陽電池一体型気体製造装置と太陽電池パネルなどの起電力が生じる装置とを並べて設置した場合、前記装置で生じる起電力を用いて第１気体および第２気体を製造することができる。
本発明の太陽電池一体型気体製造装置において、前記切換部が切り換える回路を選択し、選択した結果を前記切換部に出力する切換選択部をさらに備え、前記切換部は、入力した前記切換選択部が選択した結果に基づき回路の切り換えを行うことが好ましい。
このような構成によれば、光電変換部に照射される日射量などの前記装置の状況や本発明の装置を設置した施設などの電力需要などの需要状況に応じて、電力供給と第１気体および第２気体の製造を切り換えることができる。
【００２４】
本発明の太陽電池一体型気体製造装置において、前記切換選択部は、前記装置に照射される日射量の予測、降水確率、日時、気温および電力需要予測のうち少なくとも１つに基づき前記切換部が切り換える回路を選択することが好ましい。
このような構成によれば、前記装置に照射される日射量の予測、降水確率、日時、気温および電力需要予測のうち少なくとも１つに基づき、本発明の太陽電池一体型気体製造装置による第１外部回路への電極の供給と、第１気体および第２気体の製造を切り換えることができる。このことにより、光電変換部で生じた起電力を無駄なく有効に活用することができる。
以下、本発明の一実施形態を図面を用いて説明する。図面や以下の記述中で示す構成は、例示であって、本発明の範囲は、図面や以下の記述中で示すものに限定されない。
【００２５】
太陽電池一体型気体製造装置の構成
本実施形態の太陽電池一体型気体製造装置２５は、受光面とその裏面を有する光電変換部２と、光電変換部２の裏面側に設けられ、かつ、電解液に浸漬可能に設けられた第１電解用電極８と、光電変換部２の裏面側に設けられ、かつ、電解液に浸漬可能に設けられた第２電解用電極７と、切換部１０とを備え、第１電解用電極８および第２電解用電極７は、光電変換部２が受光することより生じる起電力により電解液を電気分解しそれぞれ第１気体及び第２気体を発生させることができるように設けられ、切換部１０は、光電変換部２が受光することにより生じる起電力を第１外部回路へ出力させる回路と、光電変換部２が受光することにより生じる起電力を第１電解用電極８および第２電解用電極７に出力させる回路とを切り換えることを特徴とする。
【００２６】
また、本実施形態の太陽電池一体型気体製造装置２５は、透光性基板１、第２電極５、第１導電部９、絶縁部１１、隔壁１３、背面基板１４、電解液室１５、シール材１６、切換選択部２１をさらに有してもよい。
以下、本実施形態の太陽電池一体型気体製造装置２５について説明する。
なお、本実施形態の太陽電池一体型気体製造装置２５は、図２のような断面を有してもよく、図５、６、７、８、９、１０、１１または１２のような断面を有してもよい。なお、図５〜８は、図１の点線Ａ−Ａの断面図に対応している。また、図９〜１２は、図１の点線Ａ−Ａの断面図に対応しているが、隔壁１３などの位置が異なっている。
【００２７】
１．透光性基板
透光性基板１は、透光性を有する基板であれば特に限定されない。透光性基板１の材料としては、例えば、ソーダガラス、石英ガラス、パイレックス（登録商標）、合成石英板等の透明なリジッド材、あるいは透明樹脂板やフィルム材等が好適に用いられる。化学的および物理的安定性を備える点より、ガラス基板を用いることが好ましい。
透光性基板１の光電変換部２側の表面には、入射した光が光電変換部２の表面で有効に乱反射されるように、微細な凹凸構造に形成することができる。この微細な凹凸構造は、例えば反応性イオンエッチング（ＲＩＥ）処理もしくはブラスト処理等の公知の方法により形成することが可能である。
【００２８】
２．第１電極
第１電極４は、透光性基板１の上に設けることができ、光電変換部２の受光面と接触するように設けることができる。また、第１電極４は、切換部１０に電気的に接続することができる。また、第１電極４は、図６、７、９のように第１導電部９を介して第２電解用電極７と電気的に接続してもよく、図８のように第２電解用電極７と直接接触してもよい。また、第１電極４は透光性を有してもよい。
また、本実施形態の太陽電池一体型気体製造装置２５が図１１または図１２のような断面を有する場合、第１電極４は省略することができる。
第１電極４を設けることにより、光電変換部２の受光面と切換部１０との間に流れる電流を大きくすることができる。また、図６、７、９のように第１電極４が第１導電部９を介して第２電解用電極７と電気的に接続する場合、光電変換部２で生じた起電力を効率よく第１電解用電極８と第２電解用電極７とに出力することができる。
第１電極４は、例えば、ＩＴＯ、ＳｎＯ2などの透明導電膜からなってもよく、Ａｇ、Ａｕなどの金属のフィンガー電極からなってもよい。また、透明導電膜と金属のフィンガー電極とを組み合わせた電極であってもよい。
【００２９】
以下に第１電極４を透明導電膜とした場合について説明する。
透明導電膜は、光電変換部２の受光面と切換部１０などとのコンタクトを取りやすくするために用いている。
一般に透明電極として使用されているものを用いることが可能である。具体的にはＩｎ−Ｚｎ−Ｏ（ＩＺＯ）、Ｉｎ−Ｓｎ−Ｏ（ＩＴＯ）、ＺｎＯ−Ａｌ、Ｚｎ−Ｓｎ−Ｏ、ＳｎＯ2等を挙げることができる。なお本透明導電膜は、太陽光の光線透過率が８５％以上、中でも９０％以上、特に９２％以上であることが好ましい。このことにより光電変換部２が光を効率的に吸収することができるためである。
透明導電膜の作成方法としては公知の方法を用いることができ、スパッタリング、真空蒸着、ゾルゲル法、クラスタービーム蒸着法、ＰＬＤ（Ｐｕｌｓｅ  Ｌａｓｅｒ  Ｄｅｐｏｓｉｔｉｏｎ）法などが挙げられる。
【００３０】
３．光電変換部
光電変換部２は、透光性基板１上に設けることができ、かつ、受光することにより電位差が生じる。光電変換部２は、図２、５〜１０のように受光面とその裏面との間に電位差が生じるものであってもよく、図１１、１２のように裏面の第１区域と第２区域との間に電位差が生じるものであってもよい。光電変換部２は、例えば、シリコン系半導体を用いた光電変換部、化合物半導体を用いた光電変換部、色素増感剤を利用した光電変換部、有機薄膜を用いた光電変換部などである。
【００３１】
光電変換部２の受光面および裏面が切換部１０を介して第１電解用電極８および第２電解用電極７に電気的に接続する場合、光電変換部２は、受光することにより、第１電解用電極８および第２電解用電極７においてそれぞれ第１気体と第２気体を発生させるために必要な起電力が生じる必要がある。
第１気体および第２気体が水素および酸素である場合、光電変換部２は、第１電解用電極８および第２電解用電極７において電解液に含まれる水を分解し水素と酸素が発生させるために必要な起電力が生じる必要がある。第１電解用電極８と第２電解用電極７の電位差は、水分解のための理論電圧（１．２３Ｖ）より大きくする必要があり、そのためには光電変換部２で十分大きな電位差を生み出す必要がある。そのため光電変換部２は、ｐｎ接合など起電力を生じさせる部分（光電変換層２８）を二接合以上直列に接続することが好ましい。光電変換層２８を直列接続させる方法は、特に限定されないが、光電変換層２８を積層させて直列接続させてもよく、図９、１２のように並列に設けられた光電変換層２８を第３導電部３３により直列接続してもよい。なお、第３導電部３３は、図９のように透光性電極３０と裏面電極３１を含んでもよい。
【００３２】
光電変換を行う材料は、シリコン系半導体、化合物半導体、有機材料をベースとしたものなどが挙げられるが、いずれの光電変換材料も使用することが可能である。また、起電力を大きくするために、これらの光電変換材料を積層することが可能である。積層する場合には同一材料で多接合構造を形成することが可能であるが、光学的バンドギャップの異なる複数の光電変換層を積層し、各々の光電変換層の低感度波長領域を相互に補完することにより、広い波長領域にわたり入射光を効率よく吸収することが可能となる。
【００３３】
また、光電変換層間の直列接続特性の改善や、光電変換部２で発生する光電流の整合のために、層間に透明導電膜等の導電体を介在させることが可能である。これにより光電変換部２の劣化を抑制することが可能となる。
光電変換部２の例を以下に具体的に説明する。また、光電変換部２は、これらを組み合わせたものでもよい。
【００３４】
３−１．シリコン系半導体を用いた光電変換部
シリコン系半導体を用いた光電変換部２は、例えば、単結晶型、多結晶型、アモルファス型、球状シリコン型、及びこれらを組み合わせたもの等が挙げられる。いずれもｐ型半導体とｎ型半導体が接合したｐｎ接合を有することができる。また、ｐ型半導体とｎ型半導体との間にｉ型半導体を設けたｐｉｎ接合を有するものとすることもできる。また、ｐｎ接合を複数有するもの、ｐｉｎ接合を複数有するもの、ｐｎ接合とｐｉｎ接合を有するものとすることもできる。
シリコン系半導体とは、シリコンを含む半導体であり、例えば、シリコン、シリコンカーバイド、シリコンゲルマニウムなどである。また、シリコンなどにｎ型不純物またはｐ型不純物が添加されたものも含み、また、結晶質、非晶質、微結晶のものも含む。
また、シリコン系半導体を用いた光電変換部２は、基板１の上に形成された薄膜または厚膜の光電変換層であってもよく、また、シリコンウェハなどのウェハにｐｎ接合またはｐｉｎ接合を形成したものでもよく、また、ｐｎ接合またはｐｉｎ接合を形成したウェハの上に薄膜の光電変換層を形成したものでもよい。
【００３５】
シリコン系半導体を用いた光電変換部２の形成例を以下に示す。
透光性基板１上に積層した第１電極４上に、第１導電型半導体層をプラズマＣＶＤ法等の方法で形成する。この第１導電型半導体層としては、導電型決定不純物原子濃度が１×１０18〜５×１０21／ｃｍ3程度ドープされた、ｐ＋型またはｎ＋型の非晶質Ｓｉ薄膜、または多結晶あるいは微結晶Ｓｉ薄膜とする。第１導電型半導体層の材料としては、Ｓｉに限らず、ＳｉＣあるいはＳｉＧｅ，ＳｉxＯ1-x等の化合物を用いることも可能である。
【００３６】
このように形成された第１導電型半導体層上に、結晶質Ｓｉ系光活性層として多結晶あるいは微結晶の結晶質Ｓｉ薄膜をプラズマＣＶＤ法等の方法で形成する。なお、導電型は第１導電型半導体よりドーピング濃度が低い第１導電型とするか、あるいはｉ型とする。結晶質Ｓｉ系光活性層の材料としては、Ｓｉに限らず、ＳｉＣあるいはＳｉＧｅ，ＳｉxＯ1-x等の化合物を用いることも可能である。
【００３７】
次に、結晶質Ｓｉ系光活性層上に半導体接合を形成するため、第１導電型半導体層とは反対導電型である第２導電型半導体層をプラズマＣＶＤ等の方法で形成する。この第２導電型半導体層としては、導電型決定不純物原子が１×１０18〜５×１０21／ｃｍ3程度ドープされた、ｎ＋型またはｐ＋型の非晶質Ｓｉ薄膜、または多結晶あるいは微結晶Ｓｉ薄膜とする。第２導電型半導体層の材料としては、Ｓｉに限らず、ＳｉＣあるいはＳｉＧｅ，ＳｉxＯ1-x等の化合物を用いることも可能である。また接合特性をより改善するために、結晶質Ｓｉ系光活性層と第２導電型半導体層との間に、実質的にｉ型の非単結晶Ｓｉ系薄膜を挿入することも可能である。このようにして、受光面に最も近い光電変換層を一層積層することができる。
【００３８】
続けて第二層目の光電変換層を形成する。第二層目の光電変換層は、第１導電型半導体層、結晶質Ｓｉ系光活性層、第２導電型半導体層からなり、それぞれの層は、第一層目の光電変換層中の対応する第１導電型半導体層、結晶質Ｓｉ系光活性層、第２導電型半導体層と同様に形成する。二層のタンデムで水分解に十分な電位を得ることができない場合は、三層あるいはそれ以上の層状構造を取ることが好ましい。ただし第二層目の光電変換層の結晶質Ｓｉ系光活性層の体積結晶化分率は、第一層目の結晶質Ｓｉ系光活性層と比較すると高くすることが好ましい。三層以上積層する場合も同様に下層と比較すると体積結晶化分率を高くすることが好ましい。これは、長波長域での吸収が大きくなり、分光感度が長波長側にシフトし、同じＳｉ材料を用いて光活性層を構成した場合においても、広い波長域で感度を向上させることが可能となるためである。すなわち、結晶化率の異なるＳｉでタンデム構造にすることにより、分光感度が広くなり、光の高効率利用が可能となる。このとき低結晶化率材料を受光面側にしないと高効率とならない。また結晶化率が４０％以下に下がるとアモルファス成分が増え、劣化が生じてしまう。
【００３９】
３−２．化合物半導体を用いた光電変換部
化合物半導体を用いた光電変換部２は、例えば、III−Ｖ族元素で構成されるＧａＰ、ＧａＡｓやＩｎＰ、ＩｎＡｓ、II−VI族元素で構成されるＣｄＴｅ／ＣｄＳ、Ｉ−III−VI族で構成されるＣＩＧＳ（Copper Indium Gallium DiSelenide）などを用いｐｎ接合を形成したものが挙げられる。
【００４０】
化合物半導体を用いた光電変換部２の製造方法の一例を以下に示すが、本製造方法では、製膜処理等はすべて有機金属気相成長法（ＭＯＣＶＤ；Metal Organic Chemical Vapor Deposition）装置を使って連続して行われる。III族元素の材料としては、例えばトリメチルガリウム、トリメチルアルミニウム、トリメチルインジウムなどの有機金属が水素をキャリアガスとして成長装置に供給される。Ｖ族元素の材料としては、例えばアルシン（ＡｓＨ3）、ホスフィン（ＰＨ3）、スチビン（ＳｂＨ3）等のガスが使われる。ｐ型不純物またはｎ型不純物のドーパントとしては、例えばｐ型化にはジエチルジンク、またはｎ型化には、モノシラン（ＳｉＨ4）やジシラン（Ｓｉ2Ｈ6）、セレン化水素（Ｈ2Ｓｅ）等が利用される。これらの原料ガスを、例えば７００℃に加熱された基板上に供給することにより熱分解させ、所望の化合物半導体材料膜をエピタキシャル成長させることが可能である。これら成長層の組成は導入するガス組成により、また膜厚はガスの導入時間によって制御することが可能である。これらの光電変換部を多接合積層する場合は、層間での格子定数を可能な限り合わせることにより、結晶性に優れた成長層を形成することができ、光電変換効率を向上することが可能となる。
【００４１】
ｐｎ接合を形成した部分以外にも、例えば受光面側に公知の窓層や、非受光面側に公知の電界層等を設けることによりキャリア収集効率を高める工夫を有してもよい。また不純物の拡散を防止するためのバッファ層を有していてもよい。
【００４２】
３−３．色素増感剤を利用した光電変換部
色素増感剤を利用した光電変換部は、例えば、主に多孔質半導体、色素増感剤、電解質、溶媒などにより構成される。
多孔質半導体を構成する材料としては、例えば、酸化チタン、酸化タングステン、酸化亜鉛、チタン酸バリウム、チタン酸ストロンチウム、硫化カドミウム等公知の半導体から１種類以上を選択することが可能である。多孔質半導体を基板上に形成する方法としては、半導体粒子を含有するペーストをスクリーン印刷法、インクジェット法等で塗布し乾燥もしくは焼成する方法や、原料ガスを用いたＣＶＤ法等により製膜する方法、ＰＶＤ法、蒸着法、スパッタ法、ゾルゲル法、電気化学的な酸化還元反応を利用した方法等が挙げられる。
【００４３】
多孔質半導体に吸着する色素増感剤としては、可視光領域および赤外光領域に吸収を持つ種々の色素を用いることが可能である。ここで、多孔質半導体に色素を強固に吸着させるには、色素分子中にカルボン酸基、カルボン酸無水基、アルコキシ基、スルホン酸基、ヒドロキシル基、ヒドロキシルアルキル基、エステル基、メルカプト基、ホスホニル基等が存在することが好ましい。これらの官能基は、励起状態の色素と多孔質半導体の伝導帯との間の電子移動を容易にする電気的結合を提供する。
【００４４】
これらの官能基を含有する色素として、例えば、ルテニウムビピリジン系色素、キノン系色素、キノンイミン系色素、アゾ系色素、キナクリドン系色素、スクアリリウム系色素、シアニン系色素、メロシアニン系色素、トリフェニルメタン系色素、キサンテン系色素、ポルフィリン系色素、フタロシアニン系色素、ベリレン系色素、インジゴ系色素、ナフタロシアニン系色素等が挙げられる。
【００４５】
多孔質半導体への色素の吸着方法としては、例えば多孔質半導体を、色素を溶解した溶液（色素吸着用溶液）に浸漬する方法が挙げられる。色素吸着用溶液に用いられる溶媒としては、色素を溶解するものであれば特に制限されず、具体的には、エタノール、メタノール等のアルコール類、アセトン等のケトン類、ジエチルエーテル、テトラヒドロフラン等のエーテル類、アセトニトリル等の窒素化合物類、ヘキサン等の脂肪族炭化水素、ベンゼン等の芳香族炭化水素、酢酸エチル等のエステル類、水等を挙げることができる。
【００４６】
電解質は、酸化還元対とこれを保持する液体または高分子ゲル等固体の媒体からなる。
酸化還元対としては一般に、鉄系、コバルト系等の金属類や塩素、臭素、ヨウ素等のハロゲン物質が好適に用いられ、ヨウ化リチウム、ヨウ化ナトリウム、ヨウ化カリウム等の金属ヨウ化物とヨウ素の組み合わせが好ましく用いられる。さらに、ジメチルプロピルイミダゾールアイオダイド等のイミダゾール塩等を混入することもできる。
【００４７】
また、溶媒としては、プロピレンカーボネート等のカーボネート化合物、アセトニトリル等のニトリル化合物、エタノール、メタノール等のアルコール、その他、水や非プロトン極性物質等が用いられるが、中でも、カーボネート化合物やニトリル化合物が好適に用いられる。
【００４８】
３−４．有機薄膜を用いた光電変換部
有機薄膜を用いた光電変換部は、電子供与性および電子受容性を持つ有機半導体材料で構成される電子正孔輸送層、または電子受容性を有する電子輸送層と電子供与性を有する正孔輸送層とが積層されたものであってもよい。
電子供与性の有機半導体材料としては、電子供与体としての機能を有するものであれば特に限定されないが、塗布法により製膜できることが好ましく、中でも電子供与性の導電性高分子が好適に使用される。
【００４９】
ここで導電性高分子とはp共役高分子を示し、炭素−炭素またはヘテロ原子を含む二重結合または三重結合が、単結合と交互に連なったp共役系からなり、半導体的性質を示すものをさす。
【００５０】
電子供与性の導電性高分子材料としては、例えばポリフェニレン、ポリフェニレンビニレン、ポリチオフェン、ポリカルバゾール、ポリビニルカルバゾール、ポリシラン、ポリアセチレン、ポリピロール、ポリアニリン、ポリフルオレン、ポリビニルピレン、ポリビニルアントラセン、およびこれらの誘導体、共重合体、あるいはフタロシアニン含有ポリマー、カルバゾール含有ポリマー、有機金属ポリマー等が挙げられる。中でも、チオフェン−フルオレン共重合体、ポリアルキルチオフェン、フェニレンエチニレン−フェニレンビニレン共重合体、フルオレン−フェニレンビニレン共重合体、チオフェン−フェニレンビニレン共重合体等が好適に利用される。
【００５１】
電子受容性の有機半導体材料としては、電子受容体としての機能を有するものであれば特に限定されないが、塗布法により製膜できることが好ましく、中でも電子供与性の導電性高分子が好適に使用される。
電子受容性の導電性高分子としては、例えばポリフェニレンビニレン、ポリフルオレン、およびこれらの誘導体、共重合体、あるいはカーボンナノチューブ、フラーレンおよびこれらの誘導体、ＣＮ基またはＣＦ3基含有ポリマーおよびそれらの−ＣＦ3置換ポリマー等が挙げられる。
【００５２】
また、電子供与性化合物がドープされた電子受容性の有機半導体材料や、電子受容性化合物がドープされた電子供与性の有機半導体材料等を用いることが可能である。電子供与性化合物がドープされる電子受容性の導電性高分子材料としては、上述の電子受容性の導電性高分子材料を挙げることができる。ドープされる電子供与性化合物としては、例えばＬｉ、Ｋ、Ｃａ、Ｃｓ等のアルカリ金属やアルカリ土類金属のようなルイス塩基を用いることができる。なお、ルイス塩基は電子供与体として作用する。また、電子受容性化合物がドープされる電子供与性の導電性高分子材料としては、上述した電子供与性の導電性高分子材料を挙げることができる。ドープされる電子受容性化合物としては、例えばＦｅＣｌ3、ＡｌＣｌ3、ＡｌＢｒ3、ＡｓＦ6やハロゲン化合物のようなルイス酸を用いることができる。なお、ルイス酸は電子受容体として作用する。
【００５３】
３−５．裏面の第１および第２区域間に起電力が生じる光電変換部
裏面の第１および第２区域間に起電力が生じる光電変換部２を形成する方法としては、例えば、図１１、１２のように、半導体ウェハを材料として用い、ｐ型半導体部３６の一部およびｎ型半導体部３７の一部が半導体ウェハの裏面にそれぞれ形成されるようにｐ型半導体部３６およびｎ型半導体部３７を形成することが挙げられる。このように形成した光電変換部２の受光面から光を入射させると、光電変換部の裏面のｐ型半導体部３６が形成された区域とｎ型半導体部３７が形成された区域との間に電位差を生じさせることができる。
【００５４】
半導体ウェハにｐ型半導体部３６およびｎ型半導体部３７をこれらが接するように形成すると、光電変換部２にｐｎ接合を形成することができる。また、ｉ型半導体からなる半導体ウェハにｐ型半導体部３６およびｎ型半導体部３７をこれらが接しないように形成すると、光電変換部にｐｉｎ接合を形成することができる。また、ｐ型半導体の半導体ウェハを用いるとｎｐｐ+接合を有する光電変換部２を形成することができ、ｎ型半導体の半導体ウェハを用いるとｐｎｎ+接合を有する光電変換部２を形成することができる。
ｐ型半導体部３６およびｎ型半導体部３７は、図１１のように半導体ウェハにそれぞれ一箇所ずつ形成してもよい。また、半導体ウェハにｐ型半導体部３６およびｎ型半導体部３７をそれぞれ複数形成してもよく、半導体ウェハにｐ型半導体部３６およびｎ型半導体部３７のうちどちらか一方を一箇所形成し、他方をその両側に二箇所形成してもよい。
【００５５】
上記にて示した光電変換部２においては、第一義的には太陽光を受光させ光電変換を行うことを想定しているが、用途により蛍光灯や白熱灯、ＬＥＤ、特定の熱源から発せられる光等の人工光を照射し光電変換を行うことも可能である。
【００５６】
４．第２電極
第２電極５は、光電変換部２の裏面上に設けることができ、かつ、切換部１０と電気的に接続することができる。また、第２電極５は、図５、７〜１０のように第１電解用電極８と電気的に接続することができる。また、第２電極５は、図５、７、８、１０のように第１電解用電極８を光電変換部２の裏面上に設ける場合、第１電解用電極８が第２電極５と同様の機能を有することができるため、第２電極５を省略することができる。
第２電極５を設けることにより、光電変換部２の裏面と切換部１０との間の電流を大きくすることができる。また、図５、７〜１０のように第２電極５を第１電解用電極８と電気的に接続した場合、光電変換部２で生じた起電力を効率よく第１電解用電極８と第２電解用電極７とに出力することができる。
第２電極５は、導電性を有すれば特に限定されないが、例えば、金属薄膜であり、また、例えば、Ａｌ、Ａｇ、Ａｕなどの薄膜である。これらは、例えば、スパッタリングなどにより形成することができる。また、例えば、Ｉｎ−Ｚｎ−Ｏ（ＩＺＯ）、Ｉｎ−Ｓｎ−Ｏ（ＩＴＯ）、ＺｎＯ−Ａｌ、Ｚｎ−Ｓｎ−Ｏ、ＳｎＯ2等の透明導電膜である。
【００５７】
５．絶縁部
絶縁部１１は、図２、図６のように第２電極５と第１電解用電極８および第２電解用電極７との間に設けることができる。
絶縁部１１を設けることにより、第２電極５と第１電解用電極８および第２電解用電極７とが切換部１０を介さずに電気的に接続することを防止することができる。このことにより、光電変換部２が受光することにより生じる起電力を第１外部回路に出力する場合、第１電解用電極８および第２電解用電極７にリーク電流が流れることを防止することができる。
また、絶縁部１１は、図５、７、８のように第２電極５と第２電解用電極７との間に設けることができる。このことにより、第２電解用電極７が切換部１０を介さずに第２電極５と電気的に接続することを防止することができ、リーク電流が流れることを防止することができる。
また、絶縁部１１は、図９のように直列接続された光電変換層２８と第２電解用電極７との間に設けられてもよく、図１１、１２のように第１電解用電極８と第１区間とが電気的に接続する部分および第２電解用電極７と第２区域とが電気的に接続する部分以外の、第１電解用電８極および第２電解用電極７と、光電変換部２との間に設けられてもよい。
また、絶縁部１１は、図８，９のように光電変換部２の側面を覆うように形成することができる。このことにより、光電変換部２の側面を覆った絶縁部１１の上に第２電解用電極７または第１導電部９を形成することができ、第２電解用電極７または第１導電部９を第１電極４と接触するように設けても、リーク電流が発生することを防止することができる。
【００５８】
絶縁部１１としては、有機材料、無機材料を問わず用いることが可能であり、例えば、ポリアミド、ポリイミド、ポリアリーレン、芳香族ビニル化合物、フッ素系重合体、アクリル系重合体、ビニルアミド系重合体等の有機ポリマー、無機系材料としては、Ａｌ2Ｏ3等の金属酸化物、多孔質性シリカ膜等のＳｉＯ2や、フッ素添加シリコン酸化膜（ＦＳＧ）、ＳｉＯＣ、ＨＳＱ（Ｈｙｄｒｏｇｅｎ  Ｓｉｌｓｅｓｑｕｉｏｘａｎｅ）膜、ＳｉＮx、シラノール（Ｓｉ（ＯＨ）4）などを用いて形成することができる。
【００５９】
絶縁部１１を形成する方法としては、絶縁性材料を含有するペーストをスクリーン印刷法、インクジェット法、スピンコーティング法等で塗布し乾燥もしくは焼成する方法や、原料ガスを用いたＣＶＤ法等により製膜する方法、ＰＶＤ法、蒸着法、スパッタ法、ゾルゲル法を利用した方法等が挙げられる。
【００６０】
６．第１導電部
第１導電部９は、図６、７、９のように第２電解用電極７と第１電極４とを電気的接続することができる。このことにより、第２電解用電極７を光電変換部２の裏面上に形成することができ、かつ、第２電解用電極７を第１電極４と電気的に接続することができる。
【００６１】
第１導電部９は光電変換部２の受光面と接触した第１電極４と光電変換部２の裏面上に設けられた第２電解用電極７とに接触することができるため、光電変換部２の受光面と平行な第１導電部９の断面積を大きくしすぎると、光電変換部２の受光面の面積を小さくすることにつながる場合がある。また、光電変換部２の受光面に平行な第１導電部９の断面積を小さくしすぎると光電変換部２の受光面の電位と第２電解用電極７の電位との間に差が生じ、電解液を分解する電位差が得られなくなる場合もあり、第１気体または第２気体の発生効率の減少につながる場合もある。従って、光電変換部２の受光面と平行な第１導電部９の断面積は、一定の範囲である必要がある。例えば、光電変換部２の受光面と平行な第１導電部９の断面積（第１導電部が複数の場合、その断面積の総計）は、光電変換部２の受光面の面積を１００％としたとき、０．１％以上１０％以下とすることができ、好ましくは、０．５％以上８％以下、さらに好ましくは、１％以上６％以下とすることができる。
【００６２】
また、第１導電部９は、光電変換部２を貫通するコンタクトホールに設けられてもよい。このことにより、第１導電部９を設けることによる光電変換部２の受光面の面積の減少をより小さくすることができる。また、このことにより、光電変換部２の受光面と第２電解用電極７との間の電流経路を短くすることができ、より効率的に第１気体または第２気体を発生させることができる。また、このことにより、光電変換部２の受光面と平行な第１導電部９の断面積を容易に調節することができる。例えば、図６、７に示す本実施形態の太陽電池一体型気体製造装置２５の断面図のように第２電解用電極７と第１電極４とを光電変換部２を貫通するコンタクトホールに設けられた第１導電部９により電気的に接続することができる。
また、第１導電部９が設けられたコンタクトホールは、１つまたは複数でもよく、円形の断面を有してもよい。また、光電変換部２の受光面と平行なコンタクトホールの断面積（コンタクトホールが複数の場合、その断面積の総計）は、光電変換部２の受光面の面積を１００％としたとき、０．１％以上１０％以下とすることができ、好ましくは、０．５％以上８％以下、さらに好ましくは、１％以上６％以下とすることができる。
また、第１導電部９は、図９のように光電変換部２の側面を覆う絶縁部１１の上に設けられてもよい。
【００６３】
第１導電部９の材料は、導電性を有しているものであれば特に制限されない。導電性粒子を含有するペースト、例えばカーボンペースト、Ａｇペースト等をスクリーン印刷法、インクジェット法等で塗布し乾燥もしくは焼成する方法や、原料ガスを用いたＣＶＤ法等により製膜する方法、ＰＶＤ法、蒸着法、スパッタ法、ゾルゲル法、電気化学的な酸化還元反応を利用した方法等が挙げられる。
【００６４】
７．第２導電部
第２導電部２９は、絶縁部１１と第１電解用電極８との間または絶縁部１１と第２電解用電極７との間に設けられてもよい。第２導電部２９を設けることにより、第１電解用電極８または第２電解用電極７の電気伝導率が比較的低い場合でも、光電変換部２が受光することにより生じる起電力を効率よく第１電解用電極８および第２電解用電極７に出力することができる。また、第１電解用電極８は第２導電部２９を介して切換部１０と電気的に接続してもよく、例えば、図９のように第２電解用電極７は第２導電部２９を介して切換部１０または第１電極４と電気的に接続してもよい。また、光電変換部２が図１１、１２のようにその裏面の第１および第２区域間に起電力が生じるものである場合、第１電解用電極８および第２電解用電極７は、それぞれ第２導電部２９を介して第１区域および第２区域と電気的に接続してもよい。
【００６５】
第２導電部２９の材料は、導電性を有しているものであれば特に制限されない。導電性粒子を含有するペースト、例えばカーボンペースト、Ａｇペースト等をスクリーン印刷法、インクジェット法等で塗布し乾燥もしくは焼成する方法や、原料ガスを用いたＣＶＤ法等により製膜する方法、ＰＶＤ法、蒸着法、スパッタ法、ゾルゲル法、電気化学的な酸化還元反応を利用した方法等が挙げられる。
【００６６】
８．第１電解用電極、第２電解用電極
第１電解用電極８および第２電解用電極７は、光電変換部２の裏面側に設けられる。このことにより、第１電解用電極８および第２電解用電極７は光電変換部２に入射する光を遮ることはない。
また、第１電解用電極８および第２電解用電極７は、切換部１０と電気的に接続することができる。例えば、本実施形態の太陽電池一体型気体製造装置２５が、図２のような断面を有し、図１３のような電気回路を有する場合、切換部１０を介して第１電極４および第２電極５と、第１電解用電極８および第２電解用電極７とを電気的に接続することができる。このことにより、第１電解用電極８および第２電解用電極７は、切換部１０を介して光電変換部２の受光面または裏面と電気的に接続することができる。このことにより、光電変換部２が受光することにより生じる起電力を第１電解用電極８および第２電解用電極７に出力することができる。
【００６７】
また、第１電解用電極８および第２電解用電極７のうち一方と切換部１０を電気的に接合することができる。例えば、本実施形態の太陽電池一体型気体製造装置２５が、図５、１０のような断面を有し、図１４のような電気回路を有する場合、または本実施形態の太陽電池一体型気体製造装置２５が、図６のような断面を有し、図１５のような電気回路を有する場合、光電変換部２の受光面および裏面と、第１電解用電極８および第２電解用電極７とを電気的に接続することができる。このことにより、光電変換部２が受光することにより生じる起電力を第１電解用電極８および第２電解用電極７に出力することができる。また、図１０のような断面を有する場合、第２電極５を省略し、図１７のような電気回路を有することができる。
【００６８】
また、第１電解用電極８および第２電解用電極７は、それぞれ第２電極５および第１電極４に電気的に接続することができる。例えば、本実施形態の太陽電池一体型気体製造装置２５が、図７、８、９のような断面を有し、図１６のような電気回路を有する場合、光電変換部２の受光面および裏面と、第１電解用電極８および第２電解用電極７とを電気的に接続することができる。このことにより、光電変換部２が受光することにより生じる起電力を第１電解用電極８および第２電解用電極７に出力することができる。また、太陽電池一体型気体製造装置２５が、図１１、１２のような断面を有する場合、図１６に示した第１電極を、第２電解用電極７と光電変換部２との間に設けられた第２導電部２９とし、図１６に示した第２電極を、第１電解用電極８と光電変換部２との間に設けられた第２導電部２９とした電気回路を有してもよい。
【００６９】
また、第１電解用電極８および第２電解用電極７は、電解液に浸漬可能に設けられる。これらのことにより、第１電解用電極８および第２電解用電極７の表面において、電解液の電気分解反応を進行させることができ、第１気体および第２気体を発生させることができる。また、第１気体および第２気体のうち一方は、水素であり、他方は酸素とすることができる。
また、第１電解用電極８と第２電解用電極７とは、接触しないように設けることができる。このことにより、第１電解用電極８と第２電解用電極７との間にリーク電流が流れるのを防止することとができる。
【００７０】
第１電解用電極８および第２電解用電極７のうち、一方は、電解液からＨ2を発生させる水素発生部であってもよく、他方は、電解液からＯ2を発生させる酸素発生部であってもよい。このことにより、本実施形態の太陽電池一体型気体製造装置により、電解液に含まれる水を分解し、燃料電池の燃料となる水素および酸素を製造することができる。
【００７１】
９．水素発生部
水素発生部は、電解液からＨ2を発生させる部分であり、第１電解用電極８および第２電解用電極７のうち一方とすることができる。また、水素発生部は、電解液からＨ2が発生する反応の触媒を含んでもよい。このことにより、電解液からＨ2が発生する反応の反応速度を大きくすることができる。水素発生部は、電解液からＨ2が発生する反応の触媒のみからなってもよく、この触媒が担持体に担持されたものであってもよい。また、水素発生部は、光電変換部２の受光面の面積より大きい触媒表面積を有してもよい。このことにより、電解液からＨ2が発生する反応をより速い反応速度とすることができる。また、水素発生部は、触媒が担持された多孔質の導電体であってもよい。このことにより、触媒表面積を大きくすることができる。また、光電変換部２の受光面または裏面と水素発生部に含まれる触媒との間に電流が流れることによる電位の変化を抑制することができる。さらに、水素発生部は、水素発生触媒としてＰｔ、Ｉｒ、Ｒｕ、Ｐｄ、Ｒｈ、Ａｕ、Ｆｅ、ＮｉおよびＳｅのうち少なくとも１つを含んでもよい。
【００７２】
電解液からＨ2が発生する反応の触媒（水素発生触媒）は、２つのプロトンと２つの電子から１分子の水素への変換を促進する触媒であり、化学的に安定であり、水素生成過電圧が小さい材料を用いることができる。例えば、水素に対して触媒活性を有するＰｔ，Ｉｒ，Ｒｕ，Ｐｄ，Ｒｈ，Ａｕ等の白金族金属およびその合金あるいは化合物、水素生成酵素であるヒドロゲナーゼの活性中心を構成するＦｅ，Ｎｉ，Ｓｅの合金あるいは化合物、およびこれらの組み合わせ等を好適に用いることが可能である。中でもＰｔおよびＰｔを含有するナノ構造体は水素発生過電圧が小さく好適に用いることが可能である。光照射により水素発生反応が確認されるＣｄＳ，ＣｄＳｅ，ＺｎＳ，ＺｒＯ2などの材料を用いることもできる。
【００７３】
反応面積をより大きくし気体生成速度を向上させるために、水素発生触媒を導電体に担持することができる。触媒を担持する導電体としては、金属材料、炭素質材料、導電性を有する無機材料等が挙げられる。
【００７４】
金属材料としては、電子伝導性を有し、酸性雰囲気下で耐腐食性を有する材料が好ましい。具体的には、Ａｕ、Ｐｔ、Ｐｄ等の貴金属、Ｔｉ、Ｔａ、Ｗ、Ｎｂ、Ｎｉ、Ａｌ、Ｃｒ、Ａｇ、Ｃｕ、Ｚｎ、Ｓｕ、Ｓｉ等の金属並びにこれらの金属の窒化物および炭化物、ステンレス鋼、Ｃｕ−Ｃｒ、Ｎｉ−Ｃｒ、Ｔｉ−Ｐｔ等の合金が挙げられる。金属材料には、Ｐｔ、Ｔｉ、Ａｕ、Ａｇ、Ｃｕ、Ｎｉ、Ｗからなる群より選ばれる少なくとも一つの元素を含むことが、他の化学的な副反応が少ないという観点から、より好ましい。これら金属材料は、比較的電気抵抗が小さく、面方向に電流を取り出しても電圧の低下を抑制することができる。また、Ｃｕ、Ａｇ、Ｚｎ等の酸性雰囲気下での耐腐食性に乏しい金属材料を用いる場合には、Ａｕ、Ｐｔ、Ｐｄ等の耐腐食性を有する貴金属および金属、カーボン、グラファイト、グラッシーカーボン、導電性高分子、導電性窒化物、導電性炭化物、導電性酸化物等によって耐腐食性に乏しい金属の表面をコーティングしてもよい。
【００７５】
炭素質材料としては、化学的に安定で導電性を有する材料が好ましい。例えば、アセチレンブラック、バルカン、ケッチェンブラック、ファーネスブラック、ＶＧＣＦ、カーボンナノチューブ、カーボンナノホーン、フラーレン等の炭素粉末や炭素繊維が挙げられる。
【００７６】
導電性を有する無機材料としては、例えば、Ｉｎ−Ｚｎ−Ｏ（ＩＺＯ）、Ｉｎ−Ｓｎ−Ｏ（ＩＴＯ）、ＺｎＯ−Ａｌ、Ｚｎ−Ｓｎ−Ｏ、ＳｎＯ2、酸化アンチモンドープ酸化スズが挙げられる。
【００７７】
なお、導電性高分子としては、ポリアセチレン、ポリチオフェン、ポリアニリン、ポリピロール、ポリパラフェニレン、ポリパラフェニレンビニレン等が挙げられ、導電性窒化物としては、窒化炭素、窒化ケイ素、窒化ガリウム、窒化インジウム、窒化ゲルマニウム、窒化チタニウム、窒化ジルコニウム、窒化タリウム等が挙げられ、導電性炭化物としては、炭化タンタル、炭化ケイ素、炭化ジルコニウム、炭化チタニウム、炭化モリブデン、炭化ニオブ、炭化鉄、炭化ニッケル、炭化ハフニウム、炭化タングステン、炭化バナジウム、炭化クロム等が挙げられ、導電性酸化物としては、酸化スズ、酸化インジウムスズ（ＩＴＯ）、酸化アンチモンドープ酸化スズ等が挙げられる。
【００７８】
水素発生触媒を担持する導電体の構造としては、板状、箔状、棒状、メッシュ状、ラス板状、多孔質板状、多孔質棒状、織布状、不織布状、繊維状、フェルト状が好適に使用できる。また、フェルト状電極の表面を溝状に圧着した溝付き導電体は、電気抵抗と電極液の流動抵抗を低減できるので好適である。
【００７９】
１０．酸素発生部
酸素発生部は、電解液からＯ2を発生させる部分であり、第１電解用電極８および第２電解用電極７のうち一方とすることができる。また、酸素発生部は、電解液からＯ2が発生する反応の触媒を含んでもよい。このことにより、電解液からＯ2が発生する反応の反応速度を大きくすることができる。また、酸素発生部は、電解液からＯ2が発生する反応の触媒のみからなってもよく、この触媒が担持体に担持されたものであってもよい。また、酸素発生部は、光電変換部２の受光面の面積より大きい触媒表面積を有してもよい。このことにより、電解液からＯ2が発生する反応をより速い反応速度とすることができる。また、酸素発生部は、触媒が担持された多孔質の導電体であってもよい。このことにより、触媒表面積を大きくすることができる。また、光電変換部２の受光面または裏面と酸素発生部に含まれる触媒との間に電流が流れることによる電位の変化を抑制することができる。さらに、酸素発生部は、酸素発生触媒としてＭｎ、Ｃａ、Ｚｎ、ＣｏおよびＩｒのうち少なくとも１つを含んでもよい。
【００８０】
電解液からＯ2が発生する反応の触媒（酸素発生触媒）は、２つの水分子から１分子の酸素および４つのプロトンと４つの電子への変換を促進する触媒であり、化学的に安定であり、酸素発生過電圧が小さい材料を用いることができる。例えば、光を用い水から酸素発生を行う反応を触媒する酵素であるPhotosystem IIの活性中心を担うＭｎ，Ｃａ，Ｚｎ，Ｃｏを含む酸化物あるいは化合物や、Ｐｔ，ＲｕＯ2，ＩｒＯ2等の白金族金属を含む化合物や、Ｔｉ，Ｚｒ，Ｎｂ，Ｔａ，Ｗ，Ｃｅ，Ｆｅ，Ｎｉ等の遷移金属を含む酸化物あるいは化合物、および上記材料の組み合わせ等を用いることが可能である。中でも酸化イリジウム、酸化マンガン、酸化コバルト、リン酸コバルトは、過電圧が小さく酸素発生効率が高いことから好適に用いることができる。
【００８１】
反応面積をより大きくし気体生成速度を向上させるために、酸素発生触媒を導電体に担持することができる。酸素発生触媒を担持する導電体としては、金属材料、炭素質材料、導電性を有する無機材料等が挙げられる。これらの説明は、「９．水素発生部」に記載した水素発生触媒についての説明が矛盾がない限り当てはまる。
【００８２】
水素発生触媒および酸素発生触媒の単独の触媒活性が小さい場合、助触媒を用いることも可能である。例えば、Ｎｉ，Ｃｒ，Ｒｈ，Ｍｏ，Ｃｏ，Ｓｅの酸化物あるいは化合物などが挙げられる。
【００８３】
なお、水素発生触媒、酸素発生触媒の担持方法は、導電体もしくは半導体に直接塗布する方法や、真空蒸着法、スパッタ法、イオンプレーティング法等のＰＶＤ法、ＣＶＤ法等の乾式塗工法、電析法など、材料により適宜その手法を変え作製ことが可能である。また水素発生および酸素発生のための触媒活性が十分でない場合、金属やカーボン等の多孔質体や繊維状物質、ナノ粒子等に担持することにより反応表面積を大きくし、水素及び酸素発生速度を向上させることが可能である。
【００８４】
１１．切換部
切換部１０は、光電変換部２が受光することにより生じる起電力を第１外部回路へ出力させる回路と、光電変換部２が受光することにより生じる起電力を第１電解用電極および第２電解用電極に出力し電解液からそれぞれ第１気体および第２気体を発生させる回路とを切り換えることができる。このことにより、光電変換部２が受光することにより生じる起電力を第１外部回路へ電力として供給でき、また、光電変換部２が受光することにより生じる起電力を用いて第１気体および第２気体を製造することができる。
切換部１０が第１外部回路と電気的に接続する方法は、特に限定されないが、例えば、切換部１０が出力端子２２を備え、出力端子２２を介して第１外部回路と電気的に接続してもよい。
【００８５】
また、切換部１０は、第２外部回路と電気的に接続することができ、かつ、第２外部回路から入力される起電力を第１電解用電極８および第２電解用電極７に出力し電解液からそれぞれ第１気体および第２気体を発生させる回路に切り換えることができる。このことにより、第２外部回路から入力される起電力を利用して、電解液から第１気体および第２気体を製造することができる。
切換部１０が第２外部回路と電気的に接続する方法は特に限定されないが、例えば、切換部１０が入力端子２３を備え、入力端子２３を介して第２外部回路と電気的に接続してもよい。
【００８６】
図面を用いて具体的に説明する。例えば、本実施形態の太陽電池一体型気体製造装置２５が図２のような断面を有し、図１３のような電気回路を有する場合、例えば、ＳＷ（スイッチ）１、ＳＷ２がＯＮ状態であり、ＳＷ３、ＳＷ４がＯＦＦ状態である場合、光電変換部２が受光することにより生じる起電力を第１外部回路へ出力することができる。また、ＳＷ１、ＳＷ２、ＳＷ５、ＳＷ６がＯＦＦ状態であり、ＳＷ３、ＳＷ４がＯＮ状態である場合、光電変換部２が受光することにより生じる起電力を第１電解用電極８と第２電解用電極７に出力することができる。
また、例えば、ＳＷ３、ＳＷ４がＯＦＦ状態であり、ＳＷ５、ＳＷ６がＯＮ状態である場合、第２外部回路から入力される起電力を第１電解用電極８および第２電解用電極７に出力することができる。また、ＳＷ１、ＳＷ２がＯＦＦ状態であり、ＳＷ３、ＳＷ４、ＳＷ５、ＳＷ６がＯＮ状態である場合、光電変換部２が受光することにより生じる起電力および第２外部回路から入力される起電力の両方を第１電解用電極８および第２電解用電極７に出力することができる。
【００８７】
例えば、本実施形態の太陽電池一体型気体製造装置２５が図５、１０のような断面を有し、図１４のような電気回路を有する場合、または図１７のような電気回路を有する場合、例えば、ＳＷ１、ＳＷ２がＯＮ状態であり、ＳＷ３、ＳＷ４がＯＦＦ状態である場合、光電変換部２が受光することにより生じる起電力を第１外部回路へ出力することができる。また、ＳＷ１、ＳＷ２、ＳＷ３、ＳＷ５がＯＦＦ状態であり、ＳＷ４がＯＮ状態である場合、光電変換部２が受光することにより生じる起電力を第１電解用電極８と第２電解用電極７に出力することができる。
また、例えば、ＳＷ１、ＳＷ２、ＳＷ４がＯＦＦ状態であり、ＳＷ３、ＳＷ５がＯＮ状態である場合、第２外部回路から入力される起電力を第１電解用電極８および第２電解用電極７に出力することができる。また、ＳＷ１、ＳＷ２がＯＦＦ状態であり、ＳＷ３、ＳＷ４、ＳＷ５がＯＮ状態である場合、光電変換部２が受光することにより生じる起電力および第２外部回路から入力される起電力の両方を第１電解用電極８および第２電解用電極７に出力することができる。
【００８８】
例えば、本実施形態の太陽電池一体型気体製造装置２５が図６のような断面を有し、図１５のような電気回路を有する場合、例えば、ＳＷ１、ＳＷ２がＯＮ状態であり、ＳＷ３、ＳＷ４がＯＦＦ状態である場合、光電変換部２が受光することにより生じる起電力を第１外部回路へ出力することができる。また、ＳＷ１、ＳＷ２、ＳＷ３、ＳＷ５がＯＦＦ状態であり、ＳＷ４がＯＮ状態である場合、光電変換部２が受光することにより生じる起電力を第１電解用電極８と第２電解用電極７に出力することができる。
また、例えば、ＳＷ１、ＳＷ２、ＳＷ４がＯＦＦ状態であり、ＳＷ３、ＳＷ５がＯＮ状態である場合、第２外部回路から入力される起電力を第１電解用電極８および第２電解用電極７に出力することができる。また、ＳＷ１、ＳＷ２がＯＦＦ状態であり、ＳＷ３、ＳＷ４、ＳＷ５がＯＮ状態である場合、光電変換部２が受光することにより生じる起電力および第２外部回路から入力される起電力の両方を第１電解用電極８および第２電解用電極７に出力することができる。
【００８９】
例えば、本実施形態の太陽電池一体型気体製造装置２５が図７、８、９のような断面を有し、図１６のような電気回路を有する場合、例えば、ＳＷ１、ＳＷ２がＯＮ状態であり、ＳＷ３、ＳＷ４がＯＦＦ状態である場合であって、光電変換部が受光することにより生じる起電力が電解液の電解電圧に達しない場合、光電変換部２が受光することにより生じる起電力を第１外部回路へ出力することができる。また、ＳＷ１、ＳＷ２、ＳＷ３、ＳＷ４がＯＦＦ状態である場合であって、光電変換部が受光することにより生じる起電力が電解液の電解電圧に達する場合、光電変換部２が受光することにより生じる起電力を第１電解用電極８および第２電解用電極７へ出力することができる。従って、図１２のような電気回路を有する場合でも、切換部１０により、光電変換部２が受光することにより生じる起電力を第１外部回路へ出力させる回路と、光電変換部２が受光することにより生じる起電力を第１電解用電極８および第２電解用電極７に出力させる回路とを切り換えることができる。
また、ＳＷ３、ＳＷ４がＯＮ状態であり、ＳＷ１，ＳＷ２がＯＦＦ状態の場合、第２外部回路から入力される起電力、または第２外部回路から入力される起電力と光電変換部２が受光することにより生じる起電力の両方を第１電解用電極８および第２電解用電極７に出力することができる。
また、本実施形態の太陽電池一体型気体製造装置２５が図１１、１２のような断面を有する場合、図１６に示した第１電極を、第２電解用電極７と光電変換部２との間に設けた第２導電部２９とし、図１６に示した第２電極を、第１電解用電極８と光電変換部２との間に設けた第２導電部２９とした電気回路を有することができる。
【００９０】
また、切換部１０は、切換選択部２１が選択した結果を入力することができ、入力した選択結果に基づき回路の切換を行うことができる。このことにより、切換部１０は、切換選択部２１が選択した回路に切り換えることができる。
また、切換部１０は、光電変換部２が受光することにより生じる起電力の大きさに基づき回路の切換を行うこともできる。このことにより、第１外部回路に出力する電力が光電変換部２で生じている場合、第１外部回路に光電変換部２で生じた起電力を出力することができ、第１外部回路に出力する電力が光電変換部２で生じていない場合、第１電解用電極８および第２電解用電極７に光電変換部２で生じた起電力を出力することができる。
さらに切換部１０は、第２外部回路の起電力の大きさに基づき回路の切換を行うこともできる。このことにより、第２外部回路が供給する電力が電気需要より大きくなっている場合、第２外部回路が供給する電力を利用して第１気体および第２気体を製造することができる。
【００９１】
１２．切換選択部
切換選択部２１は、切換部１０が切り換える回路を選択し、選択した結果を切換部１０に出力することができる。このことにより、状況に合わせて切換部１０の回路を切換させるための信号を出力することができる。
また、切換選択部２１は、太陽電池一体型気体製造装置２５に照射される日射量の予測、降水確率、日時、気温および電力需要予測のうち少なくとも１つに基づき切換部１０が切り換える回路を選択することができる。また、切換選択部２１は、光電変換部２が受光することにより生じる起電力の大きさ、または第２外部回路の起電力の大きさに基づき切換部１０が切り換える回路を選択することができる。このことにより、その時の状況に最も適するように切換部１０が切り換える回路を選択することができる。
【００９２】
例えば、降水確率が高く、太陽電池一体型気体製造装置２５に照射される日射量が少ないと予測される場合、光電変換部２で生じる起電力を電力として第１外部回路に供給したとしても、電力需要を満たす十分な電力を供給することができない。この場合、切換選択部２１が光電変換部２で生じる起電力を第１電解用電極８および第２電解用電極７に出力する回路を選択することにより、太陽電池一体型気体製造装置２５が電解液を分解し、水素などを製造することができる。このことにより、水素が十分に貯まった状態でこの水素を燃料として燃料電池で発電することにより、電力需要を十分に満たす電力を第１外部回路に供給することができる。
【００９３】
例えば、気温が低い、湯の使用量が多いなどの理由により、太陽電池一体型気体製造装置２５を設置した施設の熱需要が多い場合、切換選択部２１が光電変換部２で生じる起電力を第１電解用電極８および第２電解用電極７に出力する回路を選択することができる。このことにより、太陽電池一体型気体製造装置２５が電解液を分解し、水素などを製造することができ、水素などを燃料とする熱源を用いて前記施設などで熱を利用することができる。
【００９４】
例えば、太陽電池一体型気体製造装置２５を設置した施設の電力需要が、少ない場合、切換選択部２１が光電変換部２で生じる起電力を第１電解用電極８および第２電解用電極７に出力する回路を選択することができる。このことにより、太陽電池一体型気体製造装置２５が電解液を分解し、水素などを製造することができ、水素などとしてエネルギーを貯蔵することができる。
以上のような切換選択部２１が回路を選択するための判断要素は、複数であってもよく、複数の場合、複数の判断要素を総合勘案して切換選択部２１は切り換える回路を判断することができる。
【００９５】
切換選択部２１は、例えば、家庭のスマートメータが発信する信号、電力会社が発信する信号、インターネットなどの情報網を通じて提供される信号を受信し、その信号に基づき切換部１０が切り換える回路を選択することができる。
また、切換選択部２１が受信する信号は、有線または無線により受信することができる。
【００９６】
１３．電解液室
電解液室１５は、第１電解用電極８または第２電解用電極７が浸漬する電解液を貯留可能に設けられる。このことにより、第１電解用電極８または第２電解用電極７を電解液に浸漬することができ、第１電解用電極８と第２電解用電極７の表面で電解液の電気分解反応を進行させることができる。電解液室１５は、例えば、第１電解用電極８および第２電解用電極７と背面基板１４との間に形成される空間とすることができる。
また、電解液室１５は、第１電解用電極８から発生させた第１気体および第２電解用電極７から発生させた第２気体を回収するための流路とすることができる。
【００９７】
１４．背面基板
背面基板１４は、第１電解用電極８および第２電解用電極７の上に透光性基板１と対向するように設けることができる。また、背面基板１４は、第１電解用電極８または第２電解用電極７と背面基板１４との間に空間が設けられるように設けることができる。この空間を電解液室１５とすることができる。
また、背面基板１４は、光電変換部２、第１電解用電極８および第２電解用電極７を収容でき、電解液室１５を形成することができる外箱の一部であってもよい。
【００９８】
また、背面基板１４は、電解液を貯留し、生成した第１気体および第２気体を閉じ込めるための電解液室１５を構成することができるため、機密性が高い物質が求められる。背面基板１４は、透明なものであっても不透明なものであっても特に限定されるものではない。背面基板１４としては、例えば石英ガラス、パイレックス（登録商標）、合成石英板等の透明なリジッド材、あるいは透明樹脂板、透明樹脂フィルムなどを挙げることができる。中でも、ガスの透過性がなく、化学的物理的に安定な物質である点でガラス材を用いることが好ましい。
【００９９】
背面基板１４に外箱を用いる場合、外箱は、例えばステンレス鋼等の鋼材または、ジルコニア、アルミナ等のセラミック、フェノール樹脂、メラミン樹脂（ＭＦ）、ガラス繊維強化ポリアミド樹脂等の合成樹脂からなることが好ましい。
【０１００】
１５．隔壁
隔壁１３は、第１電解用電極８と背面基板１４との間の電解液室１５および第２電解用電極７と背面基板１４との間の電解液室１５とを仕切るように設けることができる。このことにより、第１電解用電極８および第２電解用電極７で発生させた第１気体および第２気体が混合することを防止することができ、第１気体および第２気体を分離して回収することができる。
また、隔壁１３は、イオン交換体を含んでもよい。このことにより、第１電解用電極８と背面基板１４との間の電解液室１５の電解液と第２電解用電極７と背面基板１４との間の電解液室１５の電解液でアンバランスとなったイオン濃度を一定に保つことができる。つまり、第１電解用電極８および第２電解用電極７における電気分解反応により生じたイオン濃度の不均衡が、イオンが隔壁９を介してイオンの移動が起こることにより解消することができる。なお、第１電解用電極８および第２電解用電極７においてＨ2Ｏの電気分解反応により水素と酸素を発生させる場合、隔壁１３がイオン交換体を含むことにより、プロトン濃度の不均衡を解消することができる。
【０１０１】
電解液を電気分解し、水素および酸素を発生させる場合、電解液からの水素発生量および酸素発生量の割合は、２：１のモル比であり、第１電解用電極８と第２電解用電極７により、気体発生量が異なる。このため、装置内の含水量を一定量にする目的から、隔壁１３は水を透過する材料であることが好ましい。
隔壁１３は、例えば、多孔質ガラス、多孔質ジルコニア、多孔質アルミナ等の無機膜あるいはイオン交換体を用いることが可能である。イオン交換体としては、当該分野で公知のイオン交換体をいずれも使用でき、プロトン伝導性膜、カチオン交換膜、アニオン交換膜等を使用できる。
【０１０２】
プロトン伝導性膜の材質としては、プロトン伝導性を有しかつ電気的絶縁性を有する材質であれば特に限定されず、高分子膜、無機膜又はコンポジット膜を用いることができる。
【０１０３】
高分子膜としては、例えば、パーフルオロスルホン酸系電解質膜である、デュポン社製のナフィオン（登録商標）、旭化成社製のアシプレックス（登録商標）、旭硝子社製のフレミオン（登録商標）等の膜や、ポリスチレンスルホン酸、スルホン化ポリエーテルエーテルケトン等の炭化水素系電解質膜等が挙げられる。
【０１０４】
無機膜としては、例えば、リン酸ガラス、硫酸水素セシウム、ポリタングストリン酸、ポリリン酸アンモニウム等からなる膜が挙げられる。コンポジット膜としては、スルホン化ポリイミド系ポリマー、タングステン酸等の無機物とポリイミド等の有機物とのコンポジット等からなる膜が挙げられ、具体的にはゴア社製のゴアセレクト膜（登録商標）や細孔フィリング電解質膜等が挙げられる。さらに、高温環境下（例えば、１００℃以上）で使用する場合には、スルホン化ポリイミド、２−アクリルアミド−２−メチルプロパンスルホン酸（ＡＭＰＳ）、スルホン化ポリベンゾイミダゾール、ホスホン化ポリベンゾイミダゾール、硫酸水素セシウム、ポリリン酸アンモニウム等が挙げられる。
【０１０５】
カチオン交換膜としては、カチオンを移動させることができる固体高分子電解質であればよい。具体的には、パーフルオロカーボンスルフォン酸膜や、パーフルオロカーボンカルボン酸膜等のフッ素系イオン交換膜、リン酸を含浸させたポリベンズイミダゾール膜、ポリスチレンスルホン酸膜、スルホン酸化スチレン・ビニルベンゼン共重合体膜等が挙げられる。
【０１０６】
支持電解質溶液のアニオン輸率が高い場合には、アニオン交換膜の使用が好ましい。アニオン交換膜としては、アニオンの移動可能な固体高分子電解質を使用できる。具体的には、ポリオルトフェニレンジアミン膜、アンモニウム塩誘導体基を有するフッ素系イオン交換膜、アンモニウム塩誘導体基を有するビニルベンゼンポリマー膜、クロロメチルスチレン・ビニルベンゼン共重合体をアミノ化した膜等が挙げられる。
水素発生、酸素発生がそれぞれ水素発生触媒、酸素発生触媒にて選択的に行われ、これに伴うイオンの移動が起こる場合、必ずしもイオン交換のための特殊な膜等の部材を配置する必要はない。ガスを物理的に隔離することのみの目的であれば、後述のシール剤に記載の紫外線硬化性樹脂あるいは熱硬化性樹脂を用いることが可能である。
【０１０７】
１６．シール材
シール材１６は、透光性基板１と背面基板１４を接着し、電解液室１５を構成するための材料である。また、背面基板１４に箱状のものを用いた場合、シール材１６は、箱状のものと透光性基板１とを接着するための材料である。シール材１６は、例えば、紫外線硬化性接着剤、熱硬化性接着剤等が好適に使用されるが、その種類は限定されるものではない。紫外線硬化性の接着剤としては、２００〜４００ｎｍの波長を持つ光を照射することにより重合が起こり光照射後数秒で硬化反応が起こる樹脂であり、ラジカル重合型とカチオン重合型に分けられ、ラジカル重合型樹脂としてはアクリルレート、不飽和ポリエステル、カチオン重合型としては、エポキシ、オキセタン、ビニルエーテル等が挙げられる。また熱硬化性の高分子接着剤としては、フェノール樹脂、エポキシ樹脂、メラミン樹脂、尿素樹脂、熱硬化性ポリイミド等の有機樹脂が挙げられる。熱硬化性の高分子接着剤は、熱圧着時に圧力を掛けた状態で加熱重合し、その後、加圧したまま、室温まで冷却することにより、各部材を良好に接合させるため、締め付け部材等を要しない。また、有機樹脂に加えて、ガラス基板に対して密着性の高いハイブリッド材料を用いることが可能である。ハイブリッド材料を用いることによって、弾性率や硬度等の力学的特性が向上し、耐熱性や耐薬品性が飛躍的に向上する。ハイブリッド材料は、無機コロイド粒子と有機バインダ樹脂とから構成される。例えば、シリカなどの無機コロイド粒子と、エポキシ樹脂、ポリウレタンアクリレート樹脂やポリエステルアクリレート樹脂などの有機バインダ樹脂とから構成されるものが挙げられる。
【０１０８】
ここではシール材１６と記しているが、基板１と背面基板１４などを接着させる機能を有するものであれば限定されず、樹脂製あるいは金属製のガスケットを用い外部からネジ等の部材を用いて物理的に圧力を加え機密性を高める方法等を適宜用いることも可能である。
【０１０９】
１７．給水口、第１気体排出口および第２気体排出口
給水口１８は、例えば、太陽電池一体型気体製造装置２５に含まれるシール材１６の一部に開口を作ることにより設けることができる。給水口１８は、電解液室１５に電解液を供給するために設置され、その配置箇所および形状は、電解液が効率よく太陽電池一体型気体製造装置２５へ供給されさえすれば、特に限定されるものではないが、流動性および供給の容易性の観点から、傾斜して設置した太陽電池一体型気体製造装置２５の下部に設けることが好ましい。
【０１１０】
また、第１気体排出口２０および第２気体排出口１９は、太陽電池一体型気体製造装置２５を傾斜させて設置したとき、太陽電池一体型気体製造装置２５の上側の部分のシール材１６に開口を作ることにより設けることができる。また、第１気体排出口２０と第２気体排出口１９は、それぞれ隔壁１３を挟んで第１電解用電極側と第２電解用電極側に設けることができる。
【０１１１】
このように給水口１８、第１気体排出口２０および第２気体排出口１９を設けることにより、例えば、図４の断面図ように太陽電池一体型気体製造装置２５を光電変換部２の受光面が上向きの状態で水平面に対し傾斜し、給水口１８が下側になり第１気体排出口２０および第２気体排出口１９が上側になるように設置することができる。このように設置することにより、給水口１８から電解液を太陽電池一体型気体製造装置２５内に導入し、電解液室１５を電解液２７で満たすことができる。この状態で、太陽電池一体型気体製造装置２５に光を入射させ、切換部１０で光電変換部２の起電力を第１電解用電極８と第２電解用電極７に出力させることにより、第１電解用電極８および第２電解用電極７でそれぞれ、連続して第１気体および第２気体を発生させることができる。この発生した第１気体および第２気体は、隔壁１３により分離することができ、第１気体及び第２気体は太陽電池一体型気体製造装置２５の上部へ上昇し、第１気体排出口２０および第２気体排出口１９から回収することができる。
【０１１２】
１８．電解液
電解液は、電解質を含む水溶液であり、例えば、０．１ＭのＨ2ＳＯ4を含む電解液、０．１Ｍリン酸カリウム緩衝液などであるが、気体発生反応のためのイオン移動が起これば電解質の種類は問われず、電解質濃度は限定されない。
【符号の説明】
【０１１３】
１： 透光性基板    ２：光電変換部    ４：第１電極    ５：第２電極    ７：第２電解用電極    ８：第１電解用電極    ９：第１導電部    １０：切換部    １１：絶縁部    １３：隔壁    １４：背面基板    １５：電解液室    １６：シール材    １８：給水口    １９：第２気体排出口    ２０：第１気体排出口    ２１：切換選択部    ２２：出力端子    ２３：入力端子    ２４ａ、２４ｂ、２４ｃ：配線    ２５：太陽電池一体型気体製造装置    ２７：電解液    ２８：光電変換層    ２９：第２導電部    ３０：透光性電極    ３１：裏面電極    ３３：第３導電部    ３５：半導体部    ３６：ｐ型半導体部    ３７：ｎ型半導体部    ４０：アイソレーション
【図１】
0005802374.tif 000002
【図２】
0005802374.tif 000003
【図３】
0005802374.tif 000004
【図４】
0005802374.tif 000005
【図５】
0005802374.tif 000006
【図６】
0005802374.tif 000007
【図７】
0005802374.tif 000008
【図８】
0005802374.tif 000009
【図９】
0005802374.tif 000010
【図１０】
0005802374.tif 000011
【図１１】
0005802374.tif 000012
【図１２】
0005802374.tif 000013
【図１３】
0005802374.tif 000014
【図１４】
0005802374.tif 000015
【図１５】
0005802374.tif 000016
【図１６】
0005802374.tif 000017
【図１７】
0005802374.tif 000018